(57)【要約】【課題】  冷房に供給する外気を適化状態にできる新規な冷房用外気取り入れ装置の開発を技術課題とする。【解決手段】  本発明の冷房用外気取り入れ装置１は、外気Ａ0 を空気冷却器３１により冷却して、冷房を必要とする室内に供給するための装置であって、当該装置は、室内と外部とを連通する空気案内ダクト２に対し、その上流側に散水加湿装置１０が、下流側に空気冷却器３１が配置され、散水加湿装置１０により通過する空気の湿度を上昇させる一方、温度を低下させた後、空気冷却器３１を通過させ、室内に導入するようにしたことを特徴とする。【選択図】図１
2020193754.tif 000002
【特許請求の範囲】
【請求項１】
外気を空気冷却器により冷却して、冷房を必要とする室内に供給するための冷房用外気取り入れ装置であって、
この装置は、室内と外部とを連通する空気案内ダクトに対し、その上流側に散水加湿装置が、下流側に空気冷却器が配置され、
前記散水加湿装置により通過する空気の湿度を上昇させる一方、温度を低下させた後、空気冷却器を通過させ、室内に導入するようにしたことを特徴とする冷房用外気取り入れ装置。
【請求項２】
前記散水加湿装置における散水を受ける装置は、通気性を有するケーシング内に充填エレメントを収納した通気充填材型であり、散水して充填材表面を充分に濡らし、蒸発しないで余った水は、下部に取り付けたドレンパンに回収することができるようにしたことを特徴とする請求項１記載の冷房用外気取り入れ装置。
【請求項３】
前記散水加湿装置を通過した空気を受ける空気冷却器は、冷却コイル型の空気冷却器であることを特徴とする請求項１または２記載の冷房用外気取り入れ装置。
【請求項４】
前記散水加湿装置における散水装置により散水される水は、下方のドレンパンに貯留された水を用いることを特徴とする請求項１から３のいずれか１項記載の冷房用外気取り入れ装置。
【請求項５】
前記空気冷却器の下流側には、エリミネータ等の水滴捕集装置が設けられていて、捕集した水滴は、前記ドレンパンに合流するようにしたことを特徴とする請求項１から４のいずれか１項記載の冷房用外気取り入れ装置。
【請求項６】
前記ドレンパンには、空気冷却器に結露した水及び発生した霧を回収した水を合流させることを特徴とする請求項４または５記載の冷房用外気取り入れ装置。
【請求項７】
前記ドレンパンには、貯留した水が一定量以上になったときに排水するための排水装置が設けられていることを特徴とする請求項４から６のいずれか１項記載の冷房用外気取り入れ装置。
【発明の詳細な説明】
【技術分野】
【０００１】
本発明は、冷房用外気取り入れ装置に関するものである。
【背景技術】
【０００２】
近年ますます大気汚染が進行していて、ＰＭ２．５や亜硫酸ガス・酸化窒素等の有害物質の増加が問題になっている。また、綺麗な空気を必要とする施設は、精密、ＩＴ、化学、食品等の工場やデータセンター、病院、老人ホーム、劇場、スーパー等、人の多く集まる施設等々、数え切れないほど多くある。
綺麗な空気で、室内を冷却・冷房するための従来の外気取り入れ装置１′は、例えば図５に示すように、除塵設備としてメッシュのフィルターＦを使うことが一般に行われている。このようなフィルターＦのメンテナンスは、人手と費用の掛かる作業で、その間、外気取り入れの空調運転を停止しなければならない。
【０００３】
また、メッシュフィルターは、小さな塵埃を捕集することができるものほど初めから抵抗が大きく、風速が大きくなるとほぼ風速の２乗に比例して抵抗が大きくなり、この傾向は時間の経過とともに加速度的に大きくなる。
当然ながら抵抗が大きくなると圧力損失が増大し、風量が減少して不足し、ファン動力を大きくしなければならない。
【０００４】
また、空調装置で新鮮空気を効率よく取り入れる装置は、省エネだけでなく、健康に良く、快適な環境、容易で安価なメンテナンス性、堅牢な構造等も考慮したものである必要がある。
【発明の概要】
【発明が解決しようとする課題】
【０００５】
本発明はこのような背景を認識してなされたものであって、冷房に供給する外気を適化状態にできる新規な冷房用外気取り入れ装置の開発を技術課題としたものである。
【課題を解決するための手段】
【０００６】
まず請求項１記載の冷房用外気取り入れ装置は、
外気を空気冷却器により冷却して、冷房を必要とする室内に供給するための冷房用外気取り入れ装置であって、
この装置は、室内と外部とを連通する空気案内ダクトに対し、その上流側に散水加湿装置が、下流側に空気冷却器が配置され、
前記散水加湿装置により通過する空気の湿度を上昇させる一方、温度を低下させた後、空気冷却器を通過させ、室内に導入するようにしたことを特徴として成るものである。
【０００７】
また請求項２記載の冷房用外気取り入れ装置は、請求項１記載の要件に加え、
前記散水加湿装置における散水を受ける装置は、通気性を有するケーシング内に充填エレメントを収納した通気充填材型であり、散水して充填材表面を充分に濡らし、蒸発しないで余った水は、下部に取り付けたドレンパンに回収することができるようにしたことを特徴として成るものである。
【０００８】
また請求項３記載の冷房用外気取り入れ装置は、請求項１または２記載の要件に加え、
前記散水加湿装置を通過した空気を受ける空気冷却器は、冷却コイル型の空気冷却器であることを特徴として成るものである。
【０００９】
また請求項４記載の冷房用外気取り入れ装置は、請求項１から３のいずれか１項記載の要件に加え、
前記散水加湿装置における散水装置により散水される水は、下方のドレンパンに貯留された水を用いることを特徴として成るものである。
【００１０】
また請求項５記載の冷房用外気取り入れ装置は、請求項１から４のいずれか１項記載の要件に加え、
前記空気冷却器の下流側には、エリミネータ等の水滴捕集装置が設けられていて、捕集した水滴は、前記ドレンパンに合流するようにしたことを特徴として成るものである。
【００１１】
また請求項６記載の冷房用外気取り入れ装置は、請求項４または５記載の要件に加え、
前記ドレンパンには、空気冷却器に結露した水及び発生した霧を回収した水を合流させることを特徴として成るものである。
【００１２】
また請求項７記載の冷房用外気取り入れ装置は、請求項４から６のいずれか１項記載の要件に加え、
前記ドレンパンには、貯留した水が一定量以上になったときに排水するための排水装置が設けられていることを特徴として成るものである。
【発明の効果】
【００１３】
まず請求項１記載の発明によれば、水の散布装置が具えられた散水加湿装置が設けられており、ここを通過する外気は、温度低下・湿度上昇が図られるため、後段の空気冷却器の効率を改善するものであり、効率的な冷気供給がされる。
【００１４】
また請求項２記載の発明によれば、散水を受ける装置は、通気充填材型であり、構造がシンプルで、且つ常時、水が散布されることにより、常に充填エレメントの表面は濡れた状態を保ち、通過する外気との接触面積が充分大きいので塵埃の捕集、加湿、冷却等、希望する外気の適化状況を維持できる。
【００１５】
また請求項３記載の発明によれば、適化状態の空気を受ける空気冷却器は、冷却コイル型のものを適用するから、取り入れた外気を容易に露点温度以下にし、水分を大量に凝縮すると同時に塵埃もほとんど残らず捕集できるので、捕集した塵埃をドレンパンに回収することができる。
【００１６】
また請求項４記載の発明によれば、散水加湿装置下方にドレンパンを設け、ここに散布される水を貯留するものであり、散布した後、散水加湿装置において蒸発し切れない水を再度ここに回収することができる。
【００１７】
また請求項５記載の発明によれば、散水加湿装置に水を散布することによって、その一部の水滴がそのまま室内に飛散することも予想されるが、エリミネータによってこれを捕捉して、水滴及び水に含まれる塵埃が室内に飛散することを防止できる。
【００１８】
また請求項６記載の発明によれば、空気冷却器に結露した水が、散布に利用されるものであり、低温の水が散布用の水として利用できる。
【００１９】
また請求項７記載の発明によれば、ドレンパンに貯留する水の量を常に適切に保ちドレンパン底部に溜まった塵埃を排出することができる。
【図面の簡単な説明】
【００２０】
【図１】本発明たる冷房用外気取り入れ装置の、第１の実施例を示す骨格的縦断側面図である。
【図２】同上、第２の実施例を示す骨格的縦断側面図である。
【図３】同上、第３の実施例を示す骨格的縦断側面図である。
【図４】同上、第４の実施例を示す骨格的縦断側面図である。
【図５】従来の冷房用外気取り入れ装置を示す骨格的縦断側面図である。
【発明を実施するための形態】
【００２１】
本発明を実施するための形態は、以下述べる実施例（第１の実施例〜第４の実施例）を好適な実施の形態とするものであり、更にこの技術思想に基づき改変し得る種々の形態を含むものである。
【実施例】
【００２２】
〔第１の実施例〕
以下、本発明を図示の実施例に基づいて具体的に説明する。
本発明の冷房用外気取り入れ装置１は、種々の実施形態があるが、まず基本となる第１の実施例の構成作用を図１を参照しながら説明する。冷房用外気取り入れ装置１は、外気の流れを案内する空気案内ダクト２を具え、このものに各構成部材を配設するとともに、適宜至近の位置に冷凍装置３を配置する。なお、冷凍装置３は、適宜のヒートポンプを適用するものであり、その冷凍サイクルの一部として、直接、冷房作用を担う空気冷却器３１を具える。
【００２３】
そして空気案内ダクト２は、その室外側すなわち空気流から観て上流側に散水加湿装置１０を配する。この第１の実施例では、散水加湿装置１０は、通気性充填材型（符号１０Ａで示す）のものを適用する。すなわち、この型の散水加湿装置１０Ａは、一定の強度を具えた網体、ラス板、目皿板、ルーバー等によって形成した通気性を具えたケーシング１１内に、フィルター作用も奏するような通気性を有する充填エレメント１２を設けたものである。
具体的には、この充填エレメント１２は、金属細線や金属平細線を絡み状にした、いわゆるスチールウール等と称されるものや、同様にその素材が樹脂製であるもの等、適宜の素材が適用できる。また、この散水加湿装置１０（１０Ａ）の形態としては、骨格的に示すような壁状ないしはパネル状と表現できるような形態を一例として採る。
【００２４】
このような散水加湿装置１０は、その上方または前面に、水の散布装置たるスプレーヘッダ１３を設ける。このスプレーヘッダ１３は、前記散水加湿装置１０に対し、満遍なく水が散布できるように複数のノズルが設けられる。一方、散水加湿装置１０の下方には、ドレンパン１４Ａ（１４）を設けるものであり、ここに貯留された水Ｗが、適宜の配管Ｐを通り、スプレーポンプ１３Ｐによってスプレーヘッダ１３に送られる。
更に、この散水加湿装置１０の下流には、外気の導入から室内への吹き出しを担うファン１５が設けられる。このファン１５は、散水加湿装置１０から観れば、吸い込みタイプであり、後続する下流側の空気冷却器３１に対しては押し込みタイプとなる配置である。
【００２５】
次に、空気冷却器３１について説明する。
このものはヒートポンプのサイクルを構成する冷凍装置３の蒸発器であり、適宜の冷媒流路を構成する、いわゆる冷却コイルが適用される。
更に、この空気冷却器３１の下流側には、エリミネータ１６を配置する。これによって空気冷却器３１の表面に結露した水分が、ファン１５の送風を受けて室内側に向けて飛散した場合も、これを捕捉し、室内には水滴が入らないようにする。また、これら空気冷却器３１、エリミネータ１６の下方には、ドレンパン１４Ｂ（１４）が設けられ、このドレンパン１４Ｂは、配管Ｐによりドレンパン１４Ａと連通している。
【００２６】
本発明の基本的な形態である第１の実施例は、以上述べた構成を有するものであって、以下のように作用する。
〈起動〉
まず運転開始にあたっては、実際の作動開始のタイミングにズレがあるにせよ、散水加湿装置１０（１０Ａ）への散水、ファン１５の起動、冷凍装置３の起動・運転がされ、外気は冷却される。
【００２７】
〈吸気適化〉
そして、前記ファン１５の吸引により、空気案内ダクト２内には、外気Ａ0 が導入される。この外気Ａ0 は、散水加湿装置１０（１０Ａ）を通過するにあたって、次のような適化を受ける。すなわち通気性充填材型の散水加湿装置１０Ａは、その上方または前面から水Ｗが散布されることにより、充填エレメント１２は、その表面が、水で濡れた状態とされている。この状態で室内より高温の外気Ａ0 が散水加湿装置１０（１０Ａ）を通過すると、充填エレメント１２の表面の水分を蒸発させながら通過する。この状態は、外気Ａ0 が、充填エレメント１２の表面の水分と潜熱交換する状態であり、外気Ａ0 は、これによる温度低下が図られ、適化状態の空気Ａ1 となる。加えて、充填エレメント１２の表面を濡らした水分は、蒸発して、適化状態の空気Ａ1 の湿度を増加させる。
更に散水加湿装置１０（１０Ａ）では、散布される水が、蒸発量より多いときには、いわゆる雫となって、下方に流下し、ドレンパン１４に回収される。なお、この実施例では、このドレンパン１４に貯留した水が、スプレー管路１３Ｌを通り、スプレーポンプ１３Ｐに圧送されて、水の散布装置たるスプレーヘッダ１３から散布される。もちろんスプレーヘッダ１３へ供給される水は、別途タンクや公共水利施設から供給されたものであってもよい。
【００２８】
更にこの散布される水について言えば、通気性充填材型の散水加湿装置１０Ａでは、充填エレメント１２自体とその表面の水とは、エアフィルター作用をしており、外気Ａ0 中の塵埃成分である微粒子等を捕捉し、且つ水の下方への流下とともに、これら微粒子を下方のドレンパン１４に流し入れるようにしている。因みに、これら微粒子は、ドレンパン１４内で下方に沈殿する傾向があるから、ドレンパン１４のドレンパイプ１４Ｐの吸込口をドレンパン１４の下方に設けておけば、ドレンパイプ１４Ｐを流下状態とする電磁弁等を用いたドレンバルブ１４Ｖを開放すれば微粒子の排出も行い得る。このようなドレンパイプ１４Ｐの開放操作は、ドレンパン１４内に貯留する水を一定レベルに保つためにも行われる。
【００２９】
〈空気冷却〉
このようにして処理を受けた適化処理空気Ａ1 は、ファン１５に押されるようにして空気冷却器３１に送られる。この空気冷却器３１のコイルやフィンは、内部の冷媒により表面温度が充分に低下しており、ここを通過する適化処理空気Ａ1 と熱交換して、適化処理空気Ａ1 を冷却して冷却済空気Ａ2 とする。このとき適化処理空気Ａ1 は、外気より温度が低く、且つ湿度も高いことから、適化処理空気Ａ1 の湿気すなわち水分は、空気冷却器３１の表面に結露するものであり、潜熱交換により効果的な冷却が図られ、また当然ながら顕熱交換も併せて行われる。
【００３０】
〈エリミネータによる水滴除去〉
前記空気冷却器３１によって得られた冷却済空気Ａ2 は、空気冷却器３１の表面に水滴となった水や空気中で塵埃を核として霧状の水滴に成長して大きくなった水、その前段の散水加湿装置１０において散布された水を含み、下流の室内側に移動する。このため空気冷却器３１の下流側にはエリミネータ１６を設けるものであり、これによって霧滴状の水を除去し、室内への供給に適した室内供給空気Ａ3 とする。
【００３１】
〈ドレンパンによる水の回収〉
ところで前記空気冷却器３１及びエリミネータ１６は、ともに水をその表面に結露状に生じさせるものであるが、この水が下方に落下したとき、下方に配置したドレンパン１４Ｂにより、この水を回収する。この回収された水は、空気冷却器３１により充分冷却されたものであり、これを散水加湿装置１０のドレンパン１４Ａに送り込むときには、ドレンパン１４Ａの水温を更に下げることとなる。そして、このドレンパン１４Ａの水を、水の散布装置たるスプレーヘッダ１３から供給すれば散水加湿装置１０（１０Ａ）の充填エレメント１２を、より効果的に冷却できる。
本発明の基本的な第１の実施例は、以上述べた通り、通気性充填材型の散水加湿装置１０Ａであるが、以下述べるような他の実施例も存在する。
【００３２】
〔第２の実施例〕
第２の実施例は、図２に示すものであって、散水加湿装置１０における散水を受ける装置として冷却コイル型の散水加湿装置１０Ｂを適用したものである。
なお、この第２の実施例中、第１の実施例と共通する部材については、共通の符号を付すとともに、相違点に絞って説明を行う。
【００３３】
第２の実施例では、空気案内ダクト２の上流側にファン１５を設けて外気を取り入れ、その下流側に冷却コイル３２を配置する。この冷却コイル３２は、第１の実施例におけるケーシング１１と、充填エレメント１２で構成した、言わばフィルタータイプの散水加湿装置１０Ａに代わるものである。そして、冷却コイル３２への冷媒供給は、冷凍装置３から空気冷却器３１に供給される冷媒を一部分岐させて流すほか、別途冷媒サイクルを構成して冷媒を供給してもよい。
冷却コイル３２は、その表面にスプレーヘッダ１３からの水Ｗが供給される。結果的に外気Ａ0 は、ここで冷却と加湿を受ける。
更にこの散水加湿装置１０Ｂを構成している冷却コイル３２の下流側には、第１の実施例と同様に空気冷却器３１、エリミネータ１６を配置する。
【００３４】
この第２の実施例の作用は、まずファン１５により空気案内ダクト２に取り入れられた外気は、冷却コイル３２に触れることにより冷却されるとともに、その表面にスプレーされた水Ｗとも熱交換して、外気温度より低い温度で且つ湿度も高くなった性状に変える。そして下流側において空気冷却器３１により所望の温度と湿度に調整され、室内に供給される。
【００３５】
〔第３の実施例〕
更に他の実施例として図３に示すような省スペース型の冷房用外気取り入れ装置１も、本発明の技術思想に包含される。この装置の大きな特徴は、空気案内ダクト２をＵ字状ないしは反転状と表現できるような形態としたものである。すなわち、空気案内ダクト２は、上方に開口させた外気の取入口２１の下方に、側面視半円状の反転部２２を設け、更に仕切板２３を中央に配置し、取入口２１に隣り合うように吹出口２４を設けたものである。そして、前記取入口２１側において上流から下流に向かってファン１５、スプレーヘッダ１３、散水加湿装置１０を配設する。ここで散水加湿装置１０は、第１の実施例と同様、通気性充填材型の散水加湿装置１０Ａを適用する。すなわち、適宜のケーシング１１中に充填エレメント１２を収納したものであり、これを平板状に水平配置している。
一方、この散水加湿装置１０（１０Ａ）に対し、前記仕切板２３を挟んで隣接するように空気案内ダクト２の吹出口２４側には、空気冷却器３１を平置き状に配置し、更にその下流側（図示では上方）にエリミネータ１６を設ける。
【００３６】
そして、この第３の実施例では、空気案内ダクト２の反転部２２の下方が水を貯留するドレンパン１４として作用する。
この第３の実施例では、ファン１５によって取り込まれた外気Ａ0 は、散水加湿装置１０（１０Ａ）における充填エレメント１２を通過する際、ここにスプレーヘッダ１３から散布されている水により、冷却と加湿を受ける。そして、この調整された空気は、前記第１の実施例と同様、空気冷却器３１とエリミネータ１６を通過して、適切な空調温度・湿度となって室内に供給される。なお、空気冷却器３１とエリミネータ１６に結露した水分は、そのまま下方に落下して、空気案内ダクト２の反転部２２が構成するドレンパン１４に落下捕集される。
なお、第３の実施例について説明した図３においては、冷凍サイクルを構成する冷凍装置３については、図示を省略した。また、後述する図４についても同様に省略する。
【００３７】
〔第４の実施例〕
更に図４に示す第４の実施例は、前記第３の実施例の構成を更に改変したものである。すなわち、空気案内ダクト２の形態については、第３の実施例と共通する側面視Ｕ字型と見られる形状を採る。そして、ここに組み込まれる部材としては、先ず上流側からファン１５、スプレーヘッダ１３、散水加湿装置１０である。この散水加湿装置１０は、通気性充填材型の散水加湿装置１０Ａを適用している。
この散水加湿装置１０Ａの下流側には、この第４の実施例の一つの特徴であるヒートパイプ１７の蒸発端１７Ａを配置するものであり、このヒートパイプ１７の他の凝縮端１７Ｂは空気案内ダクト２の下流側に配置される。
【００３８】
更に、ヒートパイプ１７における蒸発端１７Ａの下流側には、散水加湿装置１０の他の形態である冷却コイル型の散水加湿装置１０Ｂを配置する。具体的には、冷却コイル３２を配置するものであり、この冷却コイル３２に対しても前記スプレーヘッダ１３により散布された水が、その下方の充填エレメント１２、ヒートパイプ１７の間隙を通して落下して、散布される。
従って、この充填エレメント１２と、冷却コイル３２とが連接されており、言わば散水加湿装置１０は、通気性充填材型の散水加湿装置１０Ａと、冷却コイル型の散水加湿装置１０Ｂとの双方が、配設された形態を採っている。もちろん、この場合、散水加湿装置１０は、一方の型のみを選択して設けることも差し支えない。
【００３９】
そして、空気案内ダクト２の更に下流側には、空気冷却器３１を配置し、更にその下流側、すなわち装置としては上方にエリミネータ１６を配置する。このエリミネータ１６の下流側、すなわち装置上方には、前記ヒートパイプ１７の凝縮端１７Ｂが配置されている。
なお、ヒートパイプ１７は、詳細な図示は省略するが、減圧密閉管路内に例えば二酸化炭素（ＣＯ2 ）等の冷媒を気液併存状態に封入したものであり、蒸発端１７Ａは、凝縮端１７Ｂよりも下方に配置され、液相の冷媒で満たされ、一方、凝縮端１７Ｂは、気相の冷媒が存在する。
以下、このヒートパイプ１７の作用を含め、第４の実施例の作用について説明する。
【００４０】
まず、外気Ａ0 は、先の第１、第３の実施例と同様、通気性充填材型の散水加湿装置１０Ａを通過することにより温度を低下させ、且つ湿度を上昇させた適化処理空気Ａ1 として、空気案内ダクト２に導入される。ここで温度を低下させたとは言え、更に下流の室内に比べれば、充分、高温状態を保った適化処理空気Ａ1 は、ヒートパイプ１７内の冷媒と熱交換され、更に温度低下を図る。一方、ヒートパイプ１７内の冷媒から見れば、冷媒は、適化処理空気Ａ1 により加熱されることになり、一部が蒸発し上方に位置する凝縮端１７Ｂに気体となって至り、この凝縮端１７Ｂを気相状態としている。
【００４１】
ここで適化処理空気Ａ1 の更に下流へ至る状態について説明すると、この実施例では、一次空気冷却器とも表現できる冷却コイル３２により、更に適化処理空気Ａ1 は冷却され、且つ湿度を上昇させる。そして、この状態で空気冷却器３１による冷却を受けるものであり、結果的に室内へ供給する冷却済空気Ａ2 は、充分な温度低下が図られる。
この冷却済空気Ａ2 は、エリミネータ１６によって水滴やミスト等が充分除去された後、ヒートパイプ１７の凝縮端１７Ｂに触れ、このヒートパイプ１７中の気相状態の冷媒を冷却凝縮させ液化状態とする。この結果、ヒートパイプ１７中の冷媒は、下方に位置する蒸発端１７Ａ側に液相状態で戻ることになる。
この現象を冷却済空気Ａ2 としてみると、ヒートパイプ１７内の冷媒が有する熱により、加熱を受けることとなり、結果的にその温度を幾分か上昇させ、相対温度を低下させる。つまりヒートパイプ１７の存在により冷却済空気Ａ2 の温度と相対湿度が調整された上で、室内供給空気Ａ3 となって、室内に送られる。
【００４２】
ところで、ヒートパイプ１７が、このような作用効率を良くするのは、凝縮端１７Ｂが、蒸発端１７Ａより上方に位置するからである。従って、この第４の実施例において、ヒートパイプ１７のみ、あるいは図４に仮想線で示すように空気案内ダクト２ごと傾斜調整自在としておくときには、高温側となる上流側に位置する蒸発端１７Ａを凝縮端１７Ｂより上方に設定配置することも可能となり、このような配置では、ヒートパイプ１７内の冷媒の気液の移動がない状態となる。従って、この場合にはヒートパイプ１７としては作用せず、冷却済空気Ａ2 は、ほぼそのままの温度状態で室内供給空気Ａ3 となって室内に入る。
【００４３】
本発明は、以上述べた第１〜第４の実施例を好適な実施例とした技術思想であるが、この技術思想の下、改善できる種々の実施の形態を採ることが可能であり、且つ本発明の技術的範囲に包含されるものである。
【符号の説明】
【００４４】
１        冷房用外気取り入れ装置
２        空気案内ダクト
３        冷凍装置
１０      散水加湿装置
１０Ａ    散水加湿装置（通気性充填材型）
１０Ｂ    散水加湿装置（冷却コイル型）
１１      ケーシング
１２      充填エレメント
１３      スプレーヘッダ（水の散布装置）
１３Ｐ    スプレーポンプ
１３Ｌ    スプレー管路
１４      ドレンパン
１４Ａ    ドレンパン
１４Ｂ    ドレンパン
１４Ｐ    ドレンパイプ
１４Ｖ    ドレンバルブ（電磁弁）
１５      ファン
１６      エリミネータ
１７      ヒートパイプ
１７Ａ    蒸発端
１７Ｂ    凝縮端
２１      取入口
２２      反転部
２３      仕切板
２４      吹出口
３１      空気冷却器
３２      冷却コイル
Ａ0       外気
Ａ1       適化処理空気（適化状態の空気）
Ａ2       冷却済空気
Ａ3       室内供給空気
Ｗ        水
Ｐ        配管
Ｆ        フィルター
【図１】
2020193754.tif 000003
【図２】
2020193754.tif 000004
【図３】
2020193754.tif 000005
【図４】
2020193754.tif 000006
【図５】
2020193754.tif 000007